(57)【特許請求の範囲】
【請求項１】
（ｉ）炭酸ナトリウム；
（ii）酒石クリーム；
（iii）グリセリン；
（iv）全組成物の重量に対して３〜１５ｗｔ％の量のラウリル硫酸ナトリウム、及び
（ｖ）全組成物の重量に対して１０〜２５ｗｔ％の量のラウレス硫酸ナトリウム
を含む固体状の界面活性剤製品。
【請求項２】
全組成物の重量に対して２０〜４５ｗｔ％の量の炭酸ナトリウムを含む、請求項１に記載の界面活性剤製品。
【請求項３】
全組成物の重量に対して２０〜３７ｗｔ％の量の炭酸ナトリウムを含む、請求項１に記載の界面活性剤製品。
【請求項４】
全組成物の重量に対して２５〜４５ｗｔ％の量の炭酸ナトリウムを含む、請求項１に記載の界面活性剤製品。
【請求項５】
全組成物の重量に対して３０〜４５ｗｔ％の量の炭酸ナトリウムを含む、請求項１に記載の界面活性剤製品。
【請求項６】
全組成物の重量に対して３５〜４５ｗｔ％の量の炭酸ナトリウムを含む、請求項１に記載の界面活性剤製品。
【請求項７】
全組成物の重量に対して３９〜４５ｗｔ％の量の炭酸ナトリウムを含む、請求項１に記載の界面活性剤製品。
【請求項８】
全組成物の重量に対して４１〜４３ｗｔ％の量の炭酸ナトリウムを含む、請求項１に記載の界面活性剤製品。
【請求項９】
全組成物の重量に対して５〜２５ｗｔ％の量の酒石クリームを含む、請求項１〜８のいずれかに記載の界面活性剤製品。
【請求項１０】
全組成物の重量に対して５〜２１ｗｔ％の量の酒石クリームを含む、請求項１〜８のいずれかに記載の界面活性剤製品。
【請求項１１】
全組成物の重量に対して１０〜２５ｗｔ％の量の酒石クリームを含む、請求項１〜８のいずれかに記載の界面活性剤製品。
【請求項１２】
全組成物の重量に対して１５〜２５ｗｔ％の量の酒石クリームを含む、請求項１〜８のいずれかに記載の界面活性剤製品。
【請求項１３】
全組成物の重量に対して１０〜２１ｗｔ％の量の酒石クリームを含む、請求項１〜８のいずれかに記載の界面活性剤製品。
【請求項１４】
全組成物の重量に対して１５〜２１ｗｔ％の量の酒石クリームを含む、請求項１〜８のいずれかに記載の界面活性剤製品。
【請求項１５】
全組成物の重量に対して１９〜２３ｗｔ％の量の酒石クリームを含む、請求項１〜８のいずれかに記載の界面活性剤製品。
【請求項１６】
全組成物の重量に対して１５ｗｔ％以下の量のグリセリンを含む、請求項１〜１５のいずれかに記載の界面活性剤製品。
【請求項１７】
全組成物の重量に対して５〜１５ｗｔ％の量のグリセリンを含む、請求項１〜１５のいずれかに記載の界面活性剤製品。
【請求項１８】
全組成物の重量に対して５〜１０ｗｔ％の量のグリセリンを含む、請求項１〜１５のいずれかに記載の界面活性剤製品。
【請求項１９】
全組成物の重量に対して７〜９ｗｔ％の量のグリセリンを含む、請求項１〜１５のいずれかに記載の界面活性剤製品。
【請求項２０】
全組成物の重量に対して３〜１２ｗｔ％の量のラウリル硫酸ナトリウムを含む、請求項１〜１９のいずれかに記載の界面活性剤製品。
【請求項２１】
全組成物の重量に対して３〜５ｗｔ％の量のラウリル硫酸ナトリウムを含む、請求項１〜１９のいずれかに記載の界面活性剤製品。
【請求項２２】
全組成物の重量に対して１０〜２０ｗｔ％の量のラウレス硫酸ナトリウムを含む、請求項１〜１９のいずれかに記載の界面活性剤製品。
【請求項２３】
全組成物の重量に対して１５〜１７ｗｔ％の量のラウレス硫酸ナトリウムを含む、請求項１〜１９のいずれかに記載の界面活性剤製品。
【請求項２４】
（vi）発泡性界面活性剤、をさらに含み、前記発泡性界面活性剤が、ラウリル硫酸ナトリウム及びラウレス硫酸ナトリウム以外である、請求項１〜２３のいずれかに記載の界面活性剤製品。
【請求項２５】
発泡性界面活性剤が、全組成物の重量に対して３〜１０ｗｔ％の量で存在する、請求項２４に記載の界面活性剤製品。
【請求項２６】
発泡性界面活性剤が、全組成物の重量に対して３〜７ｗｔ％の量で存在する、請求項２４に記載の界面活性剤製品。
【請求項２７】
発泡性界面活性剤が、ラウリルベタイン、コカミドジエタノールアミン、Ｎ−ラウリル−サルコシン、及びそれらの混合物からなる群から選択される、請求項２４〜２６のいずれかに記載の界面活性剤製品。
【請求項２８】
（ｉ）全組成物の重量に対して２０〜３７ｗｔ％の量の炭酸ナトリウム；
（ii）全組成物の重量に対して５〜２１ｗｔ％の量の酒石クリーム；
（iii）全組成物の重量に対して１５ｗｔ％以下の量のグリセリン、
（iv）全組成物の重量に対して３〜１５ｗｔ％の量のラウリル硫酸ナトリウム、及び
（ｖ）全組成物の重量に対して１０〜２５ｗｔ％の量のラウレス硫酸ナトリウム
を含む、請求項１に記載の界面活性剤製品。
【請求項２９】
油、芳香剤、着色剤、及びそれらの混合物からなる群から選択される１又は２以上の添加剤をさらに含む、請求項１〜２８のいずれかに記載の界面活性剤製品。
【請求項３０】
芳香剤及び着色剤をさらに含む、請求項２９に記載の界面活性剤製品。
【請求項３１】
全組成物の重量に対して０．２ｗｔ％〜５ｗｔ％の量の１又は２以上の添加剤をさらに含む、請求項２９又は３０に記載の界面活性剤製品。
【請求項３２】
食器洗浄用洗剤である、請求項１〜３１のいずれかに記載の界面活性剤製品。
【請求項３３】
ａ）
（ｉ）炭酸ナトリウム；
（ii）酒石クリーム；
（iii）グリセリン；
（iv）全組成物の重量に対して３〜１５ｗｔ％の量のラウリル硫酸ナトリウム、及び
（ｖ）全組成物の重量に対して１０〜２５ｗｔ％の量のラウレス硫酸ナトリウム
を含む組成物を調製するステップと；
ｂ）ステップａ）の前記組成物を固化させるステップと
を含む、請求項１〜３２のいずれかに記載の界面活性剤製品を製造するプロセス。
【請求項３４】
ステップａ）の混合物を所定の形状に固化させる、請求項３３に記載のプロセス。
【請求項３５】
ステップａ）の混合物と請求項２９に記載の１又は２以上の添加剤とを組み合わせるステップをさらに含む、請求項３３又は３４に記載のプロセス。
【請求項３６】
請求項３３〜３５のいずれかに記載のプロセスによって入手可能な製品。
【請求項３７】
請求項３３〜３５のいずれかに記載のプロセスによって調製される製品。
【請求項３８】
（ｉ）請求項１〜３２のいずれかに記載の界面活性剤製品の有効量を水に溶解させて、水性清浄液を用意するステップと；
（ii）硬質面を前記水性清浄液と接触させるステップと
を含む、硬質面を清浄化する方法。
【発明の詳細な説明】
【技術分野】
【０００１】
本発明は、界面活性剤製品、前記界面活性剤製品を製造するプロセス、及び界面活性剤製品を使用する方法に関する。
【背景技術】
【０００２】
本発明は、界面活性剤、特に硬質面の清浄化に使用する界面活性剤、詳細には、食品の調理及び摂取で使用する台所用具などの家庭用品の清浄化に使用する界面活性剤に関する。
【０００３】
硬質面を清浄化するための液体製品は何十年間も使用されている。食器及び食卓用刃物を清浄化する分野において、「食器洗浄」液のボトルは、台所のシンクのそばによく見かける光景であり、食事の調理及び摂取に使用する深鍋、平鍋、ナイフ、フォークなどを効率的に清浄化するのに必要な作業を行うものである。このような台所用品を清浄化するための液体は、液体状態を保持するためにプラスチックボトルを必要とする。それらは水を高い割合で含有するので、液体の品質を維持し、有害な微生物が入らないようにしておくための成分も必要とする。
【０００４】
食器洗浄液は、料理及び食事からでる大量の汚れ及び油脂を洗い落とすのに必要であり、濃度が非常に濃い。
【０００５】
食器を清浄化するための液体製品の欠点は、製品を実用可能にしておくために固形のプラスチック包装、通常はキャップ付きのボトルを必要とすることである。いくつかのタイプのボトルは再利用可能であるが、そうでないものもある。ボトル中に液体を留めるためのキャップは、通常再利用可能ではない。
【０００６】
また、このような液体を完全な状態で維持するには保存剤が必要である。保存剤は、シンクから排水管及び廃水システムに排出されたとき、性質上、物質の腐敗を妨げ、そのために生態系において有害になり得るので、環境にとって有害な場合がある。
【０００７】
台所用具の清浄化に使用される液体の量は、容易に過剰になり得ることも分かった。しばしば、液体は用具に直接注がれ、それによって必要量よりもはるかに多く使用されることになる。このような液体の使用は、流水に過剰量を添加すると、多くの泡を発生させて、洗い流すのが困難になり、その結果、用具上に残ってしまう場合もある。
【０００８】
食器洗浄液は、容易に使用することもでき、しばしば手洗いのために使用されるが、手洗い用の配合にはなっていない。製造者により液体をよりマイルドにする努力がなされているが、皮膚に直接注ぐのは望ましくない。特に過剰量を使用した場合、手を乾燥させるか、又は炎症を起こす可能性がある。
【０００９】
本発明は、包装を必要とせず、台所用具などの硬質面を清浄化することができ、使用者の皮膚に過度に強い刺激を与えない界面活性剤製品を提供しようとするものである。
【発明の概要】
【００１０】
第１の態様では、（ｉ）炭酸ナトリウム；（ii）酒石クリーム；（iii）グリセリン；（iv）全組成物の重量に対して３〜１５ｗｔ％の量のラウリル硫酸ナトリウム、及び（ｖ）全組成物の重量に対して１０〜２５ｗｔ％の量のラウレス硫酸ナトリウムを含む固体状の界面活性剤製品を提供する。
【００１１】
第２の態様では、ａ）（ｉ）炭酸ナトリウム；（ii）酒石クリーム；（iii）グリセリン；（iv）全組成物の重量に対して３〜１５ｗｔ％の量のラウリル硫酸ナトリウム、及び（ｖ）全組成物の重量に対して１０〜２５ｗｔ％の量のラウレス硫酸ナトリウムを含む組成物を調製するステップと；ｂ）ステップａ）の組成物を固化させるステップとを含む、本明細書に記載の界面活性剤製品を製造するプロセスを提供する。
【００１２】
第３の態様では、（ａ）（ｉ）炭酸ナトリウム；（ii）酒石クリーム；（iii）グリセリン；（iv）全組成物の重量に対して３〜１５ｗｔ％の量のラウリル硫酸ナトリウム、及び（ｖ）全組成物の重量に対して１０〜２５ｗｔ％の量のラウレス硫酸ナトリウムを含む固体状の界面活性剤製品の有効量を水に溶解させて、水性清浄液を用意するステップと；（ｂ）硬質面をその水性清浄液と接触させるステップとを含む、硬質面を清浄化する方法を提供する。
【００１３】
参照を容易にするために、次に、本発明のこれらの態様及びさらなる態様を、適切な節の見出しのもとに論じる。しかし、各節の教示は、必ずしも特定の節各々に限定されるものではない。
【発明の効果】
【００１４】
本発明者らは、従来技術製品とは対照的に、本発明が、従来の液体の食器及び用具用液体清浄液などの硬質面清浄剤の環境上の欠点に対処するものであることを見いだした。本発明は、製品の形状を維持するための外部包装を必要としない固体状の製品を提供する。したがって、従来のプラスチックボトル又はキャップの必要がない。本組成物は高レベルの水を含有せず、そのため、製品の品質を維持する保存剤成分を必要としない。したがって、保存剤成分を含有する廃水の廃棄は回避され、本製品によって環境への影響はより低くなる。
【００１５】
本組成物は固体状で供給されるので、手に未希釈液を直接接触させることなく、用具を効率的に清浄化するのに効果的であるが、最少の量を溶解させながら、その形状（the shape）を、水の中で攪拌させることができる。水で作製した溶液は、濃度が濃過ぎることがないので、手を乾燥させることはない。これは、製品が皮膚に直接注がれておらず、シンクの水に過剰量が投入されてもいないからである。
【００１６】
本明細書で論じるように、本界面活性剤製品は、各々が全組成物の重量に対して３〜１５ｗｔ％の量のラウリル硫酸ナトリウム及び１０〜２５ｗｔ％の量のラウレス硫酸ナトリウムを含有している。本発明者らは、界面活性剤成分のこの選択により、及びこれらの特定の界面活性剤成分の量のこの選択により、台所用具などの硬質面を効果的に清浄化することができることを見いだした。さらに、これらの２種の界面活性剤成分の選択及びバランスにより、使用者の皮膚に溶液の強い刺激をあまり与えることなく、必要な清浄効果が実現される。さらに、組成物にグリセリンを添加することが、本製品の溶液と接触する使用者の皮膚を保護する助けとなる。
【００１７】
グリセリンは製造プロセスに役立つので、グリセリンの存在はさらに有利である。グリセリンを添加すると、混合物が固化する速さが遅くなり、混合物が急速に固体状に固化するのを阻止することができる。グリセリンが存在しないと、硬化前に製品を型に圧入するのが困難な場合がある。グリセリンが含有していると、混合物はより長期間にわたってより柔軟に維持される。
【発明を実施するための形態】
【００１８】
組成物
本明細書で論じるように、本発明の一態様では、（ｉ）炭酸ナトリウム；（ii）酒石クリーム；（iii）グリセリン；（iv）全組成物の重量に対して３〜１５ｗｔ％の量のラウリル硫酸ナトリウム、及び（ｖ）全組成物の重量に対して１０〜２５ｗｔ％の量のラウレス硫酸ナトリウムを含む固体状の界面活性剤製品を提供する。
【００１９】
本発明の界面活性剤製品は、外部手段、例えば包装などによって支えられていなくても、その物理的形状を実質上保持できる組成物である。したがって、これは、室温で、固体、固体様、固体状又は固体様状であると見なされる。
【００２０】
固体様とは、いくつかの材料が、日々の基準では固体であると見なされるが、極めて長い期間では、形状が変化する場合があり、例えばガラスなどの非晶質材料であると理解される。しかし、そうした材料は、その果たす目的からすると固体であるので、固体様であると見なされる。
【００２１】
前述のように、本発明の組成物は固体状であるため、組成物の形状を維持するのに外部包装は必要ない。
【００２２】
界面活性剤
本発明の界面活性剤製品は、各々が全組成物の重量に対して３〜１５ｗｔ％の量のラウリル硫酸ナトリウム及び１０〜２５ｗｔ％の量のラウレス硫酸ナトリウムを含む。
【００２３】
本組成物は、所定の界面活性剤に加えて、１又は２以上のさらなる界面活性剤を含有していてもよい。これらのさらなる界面活性剤は、コカミドジエタノールアミン、ラウリルベタイン、Ｎ−ラウリル−サルコシン、及びそれらの混合物から選択することができる。
【００２４】
好ましい一態様では、（ｖｉ）発泡性界面活性剤をさらに含む本組成物。発泡性界面活性剤が、硬質面を清浄化するためではなく、発泡を生じさせることが主目的の界面活性剤であることを当業者なら理解されよう。したがって、発泡性界面活性剤が、ラウリル硫酸ナトリウム及びラウレス硫酸ナトリウム以外であることは理解されよう。
【００２５】
好ましくは、発泡性界面活性剤は、全組成物の重量に対して３〜１０ｗｔ％の量、例えば、全組成物の重量に対して３〜９ｗｔ％の量、全組成物の重量に対して３〜８ｗｔ％の量、全組成物の重量に対して３〜７ｗｔ％の量、全組成物の重量に対して４〜６ｗｔ％の量、全組成物の重量に対して約５ｗｔ％の量などで存在する。
【００２６】
発泡性界面活性剤は、任意の適切な界面活性剤から選択することができる。好ましい一態様では、発泡性界面活性剤は、ラウリルベタイン、コカミドジエタノールアミン、Ｎ−ラウリル−サルコシン、及びそれらの混合物からなる群から選択される。好ましい一態様では、発泡性界面活性剤は、ラウリルベタインである。
【００２７】
本発明の界面活性剤製品は、全組成物の重量に対して３〜１５ｗｔ％の量のラウリル硫酸ナトリウムを含む。好ましい一態様では、本発明の界面活性剤製品は、全組成物の重量に対して３〜１２ｗｔ％の量、例えば、全組成物の重量に対して３〜１０ｗｔ％の量、全組成物の重量に対して３〜８ｗｔ％の量、全組成物の重量に対して３〜６ｗｔ％の量、全組成物の重量に対して３〜５ｗｔ％の量、全組成物の重量に対して約４ｗｔ％の量などのラウリル硫酸ナトリウムを含む。
【００２８】
本発明の界面活性剤製品は、全組成物の重量に対して１０〜２５ｗｔ％の量のラウレス硫酸ナトリウムを含む。好ましい一態様では、本発明の界面活性剤製品は、全組成物の重量に対して１０〜２０ｗｔ％の量、例えば、全組成物の重量に対して１２〜２０ｗｔ％の量、全組成物の重量に対して１３〜１９ｗｔ％の量、全組成物の重量に対して１４〜１８ｗｔ％の量、全組成物の重量に対して１５〜１７ｗｔ％の量、全組成物の重量に対して約１６ｗｔ％の量などのラウレス硫酸ナトリウムを含む。
【００２９】
炭酸ナトリウム
本発明の界面活性剤製品はまた、炭酸ナトリウムを含む。一実施形態では、炭酸ナトリウムは、全組成物の重量に対して２０〜４５ｗｔ％の量で存在する。
【００３０】
一実施形態では、炭酸ナトリウムは、全組成物の重量に対して２０〜３７ｗｔ％の量で存在する。
【００３１】
一実施形態では、炭酸ナトリウムは、全組成物の重量に対して２５〜４５ｗｔ％の量で存在する。
【００３２】
一実施形態では、炭酸ナトリウムは、全組成物の重量に対して２５〜３７ｗｔ％の量で存在する。
【００３３】
一実施形態では、炭酸ナトリウムは、全組成物の重量に対して３０〜４５ｗｔ％の量で存在する。
【００３４】
一実施形態では、炭酸ナトリウムは、全組成物の重量に対して３５〜４５ｗｔ％の量で存在する。
【００３５】
一実施形態では、炭酸ナトリウムは、全組成物の重量に対して３０〜３７ｗｔ％の量で存在する。
【００３６】
一実施形態では、炭酸ナトリウムは、全組成物の重量に対して３３〜４５ｗｔ％の量で存在する。
【００３７】
一実施形態では、炭酸ナトリウムは、全組成物の重量に対して３７〜４５ｗｔ％の量で存在する。
【００３８】
一実施形態では、炭酸ナトリウムは、全組成物の重量に対して３９〜４５ｗｔ％の量で存在する。
【００３９】
一実施形態では、炭酸ナトリウムは、全組成物の重量に対して４１〜４３ｗｔ％の量で存在する。
【００４０】
一実施形態では、炭酸ナトリウムは、全組成物の重量に対して約４２ｗｔ％の量で存在する。
【００４１】
炭酸ナトリウム（Ｎａ２ＣＯ３）は、炭酸のナトリウム塩である。これはまた、洗濯ソーダ又はソーダ灰として知られている。これは、多くの産業で食品及び化粧品に使用されている。
【００４２】
酒石クリーム
本発明の界面活性剤製品はまた、酒石クリームを含む。酒石クリームはまた、重酒石酸カリウム又は酒石酸水素カリウムとして知られている。これは、２，３−ジヒドロキシブタン二酸の一カリウム塩である。したがって、本発明の界面活性剤製品において使用する酒石クリームは、酒石クリームが実質上酒石酸水素カリウムであるという理由から、酒石クリームと見なされるいずれの製品も包含する。
【００４３】
一実施形態では、界面活性剤製品の酒石クリームは、酒石酸水素カリウムである。
【００４４】
一実施形態では、酒石クリームは、全組成物の重量に対して５〜２５ｗｔ％の量で存在する。
【００４５】
一実施形態では、酒石クリームは、全組成物の重量に対して５〜２１ｗｔ％の量で存在する。
【００４６】
一実施形態では、酒石クリームは、全組成物の重量に対して１０〜２５ｗｔ％の量で存在する。
【００４７】
一実施形態では、酒石クリームは、全組成物の重量に対して１５〜２５ｗｔ％の量で存在する。
【００４８】
一実施形態では、酒石クリームは、全組成物の重量に対して１０〜２１ｗｔ％の量で存在する。
【００４９】
一実施形態では、酒石クリームは、全組成物の重量に対して１５〜２１ｗｔ％の量で存在する。
【００５０】
一実施形態では、酒石クリームは、全組成物の重量に対して１７〜２５ｗｔ％の量で存在する。
【００５１】
一実施形態では、酒石クリームは、全組成物の重量に対して１７〜２１ｗｔ％の量で存在する。
【００５２】
一実施形態では、酒石クリームは、全組成物の重量に対して１９〜２５ｗｔ％の量で存在する。
【００５３】
一実施形態では、酒石クリームは、全組成物の重量に対して１９〜２３ｗｔ％の量で存在する。
【００５４】
一実施形態では、酒石クリームは、全組成物の重量に対して１９〜２１ｗｔ％の量で存在する。
【００５５】
一実施形態では、酒石クリームは、全組成物の重量に対して２０〜２２ｗｔ％の量で存在する。
【００５６】
一実施形態では、酒石クリームは、全組成物の重量に対して約２１ｗｔ％の量で存在する。
【００５７】
グリセリン
本発明の界面活性剤製品はまた、グリセリンを含む。グリセリンはまた、グリセリン、グリセロール、及びプロパン−１，２，３−トリオールとして知られている。
【００５８】
本明細書で論じるように、組成物にグリセリンを添加することは、本製品の溶液と接触する使用者の皮膚を保護する助けとなり、さらにグリセリンは製品の製造プロセスに役立ち、具体的には、グリセリンによって、炭酸ナトリウムと酒石クリームの組合せから生じる化学反応の温度がより下げられる。さらに、グリセリンを添加することは、組成物が硬化した場合に本発明の固体製品を型から外すのに役立つ。
【００５９】
グリセリンは、本発明の所望の目的の実現に適した任意の量で存在し得る。一態様では、グリセリンは、全組成物の重量に対して１５ｗｔ％以下の量、例えば、全組成物の重量に対して１２ｗｔ％以下の量、全組成物の重量に対して１０ｗｔ％以下の量、全組成物の重量に対して８ｗｔ％以下の量などで存在する。
【００６０】
一態様では、グリセリンは、全組成物の重量に対して１ｗｔ％以上の量、例えば、全組成物の重量に対して２ｗｔ％以上の量、全組成物の重量に対して４ｗｔ％以上の量、全組成物の重量に対して５ｗｔ％以上の量、全組成物の重量に対して７ｗｔ％以上の量、全組成物の重量に対して８ｗｔ％以上の量などで存在する。
【００６１】
一態様では、グリセリンは、全組成物の重量に対して５〜１５ｗｔ％の量、例えば、全組成物の重量に対して５〜１０ｗｔ％の量、全組成物の重量に対して７〜９ｗｔ％の量などで存在する。
【００６２】
好ましい組成物及び追加の構成要素
本発明の界面活性剤製品はまた、１又は２以上の許容される添加剤を含むことができる。当業者なら、このような組成物への組み込みに適した許容される添加剤の範囲を承知している。果実及びハーブ抽出物並びにジュース、植物油及び精油はすべて組成物に適合する。天然由来及び合成の両方の着色剤を使用して、界面活性剤製品を着色することができる。
【００６３】
一実施形態では、許容される添加剤は、油、芳香剤、着色剤、及びそれらの混合物からなる群から選択される。
【００６４】
一実施形態では、許容される添加剤は、全組成物の重量に対して６ｗｔ％以下の量で存在する。一実施形態では、許容される添加剤は、全組成物の重量に対して５ｗｔ％以下の量で存在する。一実施形態では、許容される添加剤は、全組成物の重量に対して４ｗｔ％以下の量で存在する。一実施形態では、許容される添加剤は、全組成物の重量に対して約０．０１ｗｔ％〜約５ｗｔ％の量で存在する。一実施形態では、許容される添加剤は、全組成物の重量に対して約０．０１ｗｔ％〜約３ｗｔ％の量で存在する。
【００６５】
本発明における成分は、保存剤、可溶化剤、又はエタノールなどのアルコールを必要としない。保存剤の使用は、皮膚を刺激する可能性を増大させる可能性がある。アルコールの使用は、皮膚を乾燥させる可能性がある。同様に、芳香剤は可溶化させる必要はなく、したがって、可溶化剤を回避することができる。
【００６６】
好ましい一実施形態では、界面活性剤製品は、食器洗浄用洗剤である。
【００６７】
好ましい一実施形態では、界面活性剤製品は、
（ｉ）全組成物の重量に対して２０〜３７ｗｔ％の量の炭酸ナトリウム；
（ii）全組成物の重量に対して５〜２１ｗｔ％の量の酒石クリーム；
（iii）全組成物の重量に対して１５ｗｔ％以下の量のグリセリン；
（iv）全組成物の重量に対して３〜１５ｗｔ％の量のラウリル硫酸ナトリウム、及び
（ｖ）全組成物の重量に対して１０〜２５ｗｔ％の量のラウレス硫酸ナトリウム
を含む。
【００６８】
上記の範囲は、構成要素各々の好ましい量を規定する。これらの範囲の各々は、単独で使用するか、又は１若しくは２以上の他の構成要素の範囲と組み合わせて、本発明の好ましい態様を実現することができる。
【００６９】
プロセス
別の態様では、ａ）（ｉ）炭酸ナトリウム；（ii）酒石クリーム；（iii）グリセリン；（iv）全組成物の重量に対して３〜１５ｗｔ％の量のラウリル硫酸ナトリウム、及び（ｖ）全組成物の重量に対して１０〜２５ｗｔ％の量のラウレス硫酸ナトリウムを含む組成物を調製するステップと；ｂ）ステップａ）の組成物を固化させるステップとを含む、界面活性剤製品を製造するプロセスを提供する。
【００７０】
本発明の界面活性剤製品の形状は、限定されていない。界面活性剤製品は、美観上快いと思われる形状及び／又は製品の使用に役立つ形状を備えることもあり得る。例えば、界面活性剤製品は、それが、使用者に人間工学的に許容される形状に固化するように、製造することもあり得る。
【００７１】
したがって、本発明のプロセスの一実施形態では、ステップａ）の混合物を所定の形状に固化させる。
【００７２】
本発明のプロセスの一実施形態では、ステップａ）の混合物を型に圧入し、固化させ、次いで界面活性剤製品を製造する。
【００７３】
本明細書に記載するように、界面活性剤製品は、１又は２以上の許容される添加剤をさらに含むことができる。一実施形態では、プロセスは、ステップａ）の混合物と上記で定義した１又は２以上の許容される添加剤とを組み合わせるステップをさらに含む。
【００７４】
方法
本発明の一態様では、（ｉ）本明細書で定義する界面活性剤製品の有効量を水に溶解させて、水性清浄液を用意するステップと；
（ii）硬質面をその水性清浄液と接触させるステップとを含む、硬質面を清浄化する方法を提供する。
【００７５】
さらなる広範な態様
さらなる広範な態様では、本発明は、以下のものを提供する：
態様１．（ｉ）全組成物の重量に対して２６〜４０ｗｔ％の量の界面活性剤、
（ii）全組成物の重量に対して２０〜３７ｗｔ％の量の炭酸ナトリウム；
（iii）全組成物の重量に対して５〜２１ｗｔ％の量の酒石クリーム；
（iv）全組成物の重量に対して１５ｗｔ％以下の量のグリセリン
を含む固体状の界面活性剤製品。
態様２．全組成物の重量に対して３０〜４０ｗｔ％の量の界面活性剤を含む、態様１に記載の界面活性剤製品。
態様３．全組成物の重量に対して３３〜３７ｗｔ％の量の界面活性剤を含む、態様２に記載の界面活性剤製品。
態様４．全組成物の重量に対して３４〜３６ｗｔ％の量の界面活性剤を含む、態様３に記載の界面活性剤製品。
態様５．界面活性剤が、ラウレス硫酸ナトリウム、コカミドジエタノールアミン、ラウリルベタイン、及びそれらの混合物からなる群から選択される、態様１〜４のいずれかに記載の界面活性剤製品。
態様６．全組成物の重量に対して２５〜３７ｗｔ％の量の炭酸ナトリウムを含む、態様１〜５のいずれかに記載の界面活性剤製品。
態様７．全組成物の重量に対して３０〜３７ｗｔ％の量の炭酸ナトリウムを含む、態様６に記載の界面活性剤製品。
態様８．全組成物の重量に対して３３〜３７ｗｔ％の量の炭酸ナトリウムを含む、態様７に記載の界面活性剤製品。
態様９．全組成物の重量に対して１０〜２１ｗｔ％の量の酒石クリームを含む、態様１〜８のいずれかに記載の界面活性剤製品。
態様１０．全組成物の重量に対して１５〜２１ｗｔ％の量の酒石クリームを含む、態様９に記載の界面活性剤製品。
態様１１．全組成物の重量に対して１６〜１９ｗｔ％の量の酒石クリームを含む、態様１０に記載の界面活性剤製品。
態様１２．全組成物の重量に対して５〜１５ｗｔ％の量のグリセリンを含む、態様１〜１１のいずれかに記載の界面活性剤製品。
態様１３．全組成物の重量に対して５〜１０ｗｔ％の量のグリセリンを含む、態様１２に記載の界面活性剤製品。
態様１４．全組成物の重量に対して７〜９ｗｔ％の量のグリセリンを含む、態様１３に記載の界面活性剤製品。
態様１５．油、芳香剤、着色剤、及びそれらの混合物からなる群から選択される１又は２以上の添加剤をさらに含む、態様１〜１４のいずれかに記載の界面活性剤製品。
態様１６．芳香剤及び着色剤をさらに含む、態様１５に記載の界面活性剤製品。
態様１７．全組成物の重量に対して０．２ｗｔ％〜５ｗｔ％の量の１又は２以上の添加剤をさらに含む、態様１５又は１６に記載の界面活性剤製品。
態様１８．食器洗浄用洗剤である、態様１〜１７のいずれかに記載の界面活性剤製品。
態様１９．ａ）（ｉ）全組成物の重量に対して２６〜４０ｗｔ％の量の界面活性剤、（ii）全組成物の重量に対して２０〜３７ｗｔ％の量の炭酸ナトリウム；（iii）全組成物の重量に対して５〜２１ｗｔ％の量の酒石クリーム；（iv）全組成物の重量に対して１５ｗｔ％以下の量のグリセリンを含む組成物を調製するステップと、ｂ）ステップａ）の組成物を固化させるステップとを含む、態様１〜１８のいずれかに記載の界面活性剤製品を製造するプロセス。
態様２０．ステップａ）の混合物を所定の形状に固化させる、態様２１に記載のプロセス。
態様２１．ステップａ）の混合物と態様１５に記載の１又は２以上の添加剤とを組み合わせるステップをさらに含む、態様１９又は２０に記載のプロセス。
態様２２．態様１９〜２１のいずれかに記載のプロセスによって入手可能な製品。
態様２３．態様１９〜２１のいずれかに記載のプロセスによって調製される製品。
態様２４．（ｉ）態様１〜１８のいずれかに記載の界面活性剤製品の有効量を水に溶解させて、水性清浄液を用意するステップと；（ii）硬質面をその水性清浄液と接触させるステップとを含む、硬質面を清浄化する方法。
【実施例】
【００７６】
次に、本発明を以下の非限定的な例を参照して説明する。
【００７７】
以下の組成を有する界面活性剤製品を調製した。
【００７８】
組成の配合は以下の通りである；
着色剤  ０．５％
芳香剤  ３．５％
ラウリル硫酸ナトリウム  ４％
ラウレス硫酸ナトリウム  １６％
ラウリルベタイン  ５％
グリセリン  ８％
炭酸ナトリウム  ４２％
酒石クリーム  ２１％
合計  １００％
【００７９】
製造プロセスは、着色剤及び芳香剤を、最初の界面活性剤（即ちラウリル硫酸ナトリウム及びラウレス硫酸ナトリウム）の一部とブレンドする必要がある。これにより、これらの成分が可溶化され、組成物内で、炭酸ナトリウム及び酒石クリームである粉末の間を、これらの成分が効率的に分散できるようになる。
【００８０】
最初の界面活性剤（複数可）（ラウリル硫酸ナトリウム及びラウレス硫酸ナトリウム）の残りを、グリセリンとブレンドする。炭酸ナトリウム及び酒石クリームの粉末を混合する。芳香剤、着色剤、及び最初の界面活性剤をこの粉末に添加し、続いて、最初の界面活性剤の残り及びグリセリンを添加する。発泡性界面活性剤（ラウリルベタイン）を添加し、組成物を混合して、滑らかなペーストにする。ある量を適当な形状の型に圧入し、一般に１２〜２４時間硬化させる。次いで、その形状は型から容易に外れ、使用可能な状態となる。
【００８１】
固体製品を水道水の流れの下に置いておくことによって、その製品を部分的に温水のシンク内で溶解させた。又は、固体製品を水中で動かして、泡を生じさせ、界面活性剤を溶解させることができる。界面活性剤製品の溶液を用意した。家庭料理に使用した陶器及び食卓用刃物の混合物をこの界面活性剤溶液で洗浄した。目視検査から、これら一式がきれいになり、油脂が付いていないことを確認できた。
【００８２】
本発明の範囲及び趣旨から逸脱しない、本発明の様々な改変形態及び変更形態は、当分野の技術者には明らかである。本発明を、特に好ましい実施形態に関して説明してきたが、特許請求の範囲に記載した本発明は、こうした特定の実施形態に必要以上に限定されるべきではないことを理解されたい。実際、化学、生物学、又は関連する分野の当業者にとって明らかである、記載された本発明を実施するための形態に対する様々な改変は、以下の特許請求の範囲内にあることが意図される。